(57)【要約】【課題】曲げ加工の工程において余肉が発生することを抑制し、端子金具が屈曲し易くなることを抑制する。【解決手段】金属板材を打ち抜き形成して、曲げ加工を施すことによって形成された雌型端子２０であって、相手側端子と導通可能に接続される接続筒部２１と、接続筒部２１よりも幅狭に形成され、電線Ｗの端末にかしめ圧着されるバレル部２２と、接続筒部２１とバレル部２２とを接続する連結部２３とを備え、連結部２３には、曲げ加工する前の展開状態において、余肉抑制空隙３１が形成されているところに特徴を有する。【選択図】図２
2013025987.tif 000002
【特許請求の範囲】
【請求項１】
導電性を有する金属板材を打ち抜き形成して、曲げ加工を施すことによって形成された端子金具であって、
相手側端子と導通可能に接続される接続部と、
前記接続部よりも幅狭に形成され、前記電線の端末にかしめ圧着されるバレル部と、
前記接続部と前記バレル部とを接続する連結部とを備え、
前記連結部には、曲げ加工する前の展開状態において、余肉抑制空隙が形成されていることを特徴とする端子金具。
【請求項２】
前記接続部と、前記連結部と、前記バレル部とに共通するように前後方向に延びて設けられ、前記電線が載置される底壁を備え、
前記連結部には、前記電線が前記底壁とは反対側に引っ張られたときに前記接続部と当接する屈曲規制部が形成されていることを特徴とする請求項１記載の端子金具。
【請求項３】
前記屈曲規制部は、前記連結部の幅方向両端部にそれぞれ形成されていることを特徴とする請求項２記載の端子金具。
【請求項４】
前記接続部は、角筒状に形成されており、
前記屈曲規制部の前記底壁側とは反対側に位置する上端部は、前記接続部における前記底壁と対向する天井壁の高さ位置よりも前記底壁側に位置していることを特徴とする請求項２または請求項３記載の端子金具。
【請求項５】
前記余肉抑制空隙は、曲げ加工する前の展開状態において、前記接続部と前記屈曲規制部との間に形成された隙間であることを特徴とする請求項２乃至請求項４の何れか一項に記載の端子金具。
【請求項６】
前記屈曲規制部は、前記金属板材を曲げ加工することで前記連結部から立ち上がるように形成されており、
前記屈曲規制部は、板厚方向に屈曲されていることを特徴とする請求項２乃至請求項５の何れか一項に記載の端子金具。
【発明の詳細な説明】
【技術分野】
【０００１】
本発明は、端子金具に関する。
【背景技術】
【０００２】
例えば、電線の端末に接続されて相手側端子と導通可能に接続される端子金具として、特許文献１に記載のものが知られている。この端子金具１０は、導電性を有する金属板材を打ち抜き形成して、曲げ加工を施すことによって形成されており、図７に示すように、相手側端子と導通可能に接続される角筒状の接続筒部１と、電線の端末にかしめ圧着されるバレル部２と、接続筒部１とバレル部２とを繋ぐ連結部３とを備えて構成されている。
【先行技術文献】
【特許文献】
【０００３】
【特許文献１】特開平１０−２５５８６４号公報
【発明の概要】
【発明が解決しようとする課題】
【０００４】
ところで、上記の端子金具１０によると、接続筒部１の幅寸法と、バレル部２の幅寸法との差が大きく、図８に示すように、端子金具１０を曲げ加工する前の展開状態において、連結部３の形状は、接続筒部１からバレル部２側に向かって急激に幅狭となるくびれた形状となっている。このため、端子金具１０を製造する工程において、曲げ加工を行うと、連結部３には、連結部３が僅かに外側に膨出する余肉４が形成されてしまう。連結部３に余肉４が形成されると、連結部３は余肉４が形成された箇所を起点に上方に反り易くなってしまい、バレル部２に接続された電線が上方に引っ張られると、余肉４が形成された箇所を起点に連結部３が上方に屈曲してしまう虞がある。
【０００５】
本発明は上記のような事情に基づいて完成されたものであって、曲げ加工の工程において余肉が発生することを抑制し、端子金具が屈曲し易くなることを抑制すること目的とする。
【課題を解決するための手段】
【０００６】
上記の目的を達成するための手段として本発明は、導電性を有する金属板材を打ち抜き形成して、曲げ加工を施すことによって形成された端子金具であって、相手側端子と導通可能に接続される接続部と、前記接続部よりも幅狭に形成され、前記電線の端末にかしめ圧着されるバレル部と、前記接続部と前記バレル部とを接続する連結部とを備え、前記連結部には、曲げ加工する前の展開状態において、余肉抑制空隙が形成されているところに特徴を有する。
このような構成の端子金具によると、連結部に余肉抑制空隙が形成されているので、端子金具の曲げ加工において、連結部に余肉が発生することを抑制することができる。これにより、余肉が発生した部分を起点に連結部が屈曲し易くなることを抑制することができる。
【０００７】
本発明の実施形態として、以下の構成が望ましい。
前記接続部と、前記連結部と、前記バレル部とに共通するように前後方向に延びて設けられ、前記電線が載置される底壁を備え、前記連結部には、前記電線が前記底壁とは反対側に引っ張られたときに前記接続部と当接する屈曲規制部が形成されている構成としてもよい。
このような構成によると、電線が底壁とは反対側に強く引っ張られ、連結部が屈曲しようとする場合においても、屈曲抑制部が接続部に当接することで、連結部が完全に屈曲することを規制することができる。
【０００８】
前記屈曲規制部は、前記連結部の幅方向両端部にそれぞれ形成されている構成としてもよい。
このような構成によると、屈曲規制部を連結部の幅方向両端部にそれぞれ設けることで、電線が上方に引っ張られて連結部が屈曲しようとする場合に、幅方向両側の二箇所において屈曲規制部を接続部に当接させることができる。これにより、連結部が屈曲することを幅方向両側においてバランスよく規制することができる。
【０００９】
前記接続部は角筒状に形成されており、前記屈曲規制部の前記底壁側とは反対側に位置する上端部は、前記接続部における前記底壁と対向する天井壁の高さ位置よりも前記底壁側に位置している構成としてもよい。
このような構成によると、屈曲規制部の底壁側とは反対側に位置する上端部が接続部の天井壁の高さ位置よりも底壁側に位置しているので、端子金具を合成樹脂製のコネクタハウジング内に挿入する場合に、屈曲規制部の上端部がコネクタハウジングの内面に接触して、コネクタハウジングを傷つけてしまうことを防ぐことができる。
【００１０】
前記余肉抑制空隙は、曲げ加工する前の展開状態において、前記接続部と前記屈曲規制部との間に形成された隙間である構成としてもよい。
このような構成によると、連結部に対して屈曲規制部を形成することで、余肉抑制空隙を別途形成することなく、連結部に余肉抑制空隙を形成することができる。
【００１１】
前記屈曲規制部は、前記金属板材を曲げ加工することで前記連結部から立ち上がるように形成されており、前記屈曲規制部は、板厚方向に屈曲されている構成としてもよい。
このような構成によると、屈曲規制部を板厚方向に屈曲させることで、屈曲規制部の前後方向に対する強度を向上させ、屈曲規制部が前後方向に座屈変形することを抑制することができる。
【発明の効果】
【００１２】
本発明によれば、曲げ加工の工程において余肉が発生することを抑制し、端子金具が屈曲し易くなることを抑制することができる。
【図面の簡単な説明】
【００１３】
【図１】実施形態に係る端子金具の斜視図
【図２】同側面図
【図３】図２のＩＩＩ−ＩＩＩ線断面図
【図４】実施形態に係る端子金具の展開図
【図５】実施形態に係る端子金具を電線の端末に接続した状態を示す平面図
【図６】接続筒部に屈曲規制部が当接した状態を示す側面図
【図７】従来型の端子金具の側面図
【図８】従来型の端子金具の展開図
【発明を実施するための形態】
【００１４】
＜実施形態＞
本発明の実施形態について図１乃至図６を参照して説明する。
本実施形態は、雌型の端子金具である雌型端子２０に適用した場合を例示している。
本実施形態の雌型端子２０は、導電性を有する金属板材を打ち抜き形成して、曲げ加工を施すことによって形成されている。この雌型端子２０は、図示しない相手側端子と接続される接続筒部２１と、電線Ｗの端末にかしめ圧着されるバレル部２２と、接続筒部２１とバレル部２２との間を接続する溝状の連結部２３とを備えて構成されている。また、雌型端子２０は、図５に示すように、接続筒部２１と、連結部２３と、バレル部２２とに共通して設けられた前後方向に延びる底壁２４を有しており、この底壁２４には電線Ｗの端末が載置される。
【００１５】
接続筒部２１は、図１及び図５に示すように、前後方向に長く、かつ、幅方向にやや横長な角筒状をなし、接続筒部２１の内部には、相手側端子が挿入可能とされている。
この接続筒部２１は、図４に示すように、曲げ加工する前の展開された状態において、同接続筒部２１における底壁２４の幅方向両側縁から幅方向両側に突出した一対の突出片２５に曲げ加工を施して、両突出片２５を互いにオーバラップさせることで前後方向に貫通する角筒状に形成されている。
【００１６】
接続筒部２１の幅方向両側に位置する接続部側壁２１Ａは、図２及び図５に示すように、底壁２４の幅方向両側縁から上方に向かって直角に立ち上がるように形成されており、両接続部側壁２１Ａの後端部２１Ｂは、底壁２４に対して切り立った形状をなしている。
【００１７】
接続筒部２１における底壁２４と対向する位置には、天井壁２１Ｃが形成されており、接続筒部２１の内部には、相手側端子と弾性的に接触する弾性接触片２７が設けられている。接続筒部２１の前端開口から接続筒部２１内に相手側端子が挿入されると、弾性接触片２７と天井壁２１Ｃとの間で相手側端子を弾性的に挟持して、雌型端子２０と相手側端子とが導通可能に接続されるようになっている。
【００１８】
連結部２３は、図１及び図３に示すように、断面が略Ｕ字形状をなして上方に開口して形成されている。また、連結部２３は、底壁２４と、連結部２３における底壁２４の両側縁から上方に立ち上がる一対の連結部側壁２３Ａとから構成されており、図２に示すように、一対の連結部側壁２３Ａは、接続筒部２１の両接続部側壁２１Ａとそれぞれ連設されている。
【００１９】
バレル部２２は、連結部２３の後方に連設されるワイヤバレル２８と、ワイヤバレル２８の更に後方に設けられたインシュレーションバレル２９とを備えて構成されている。
【００２０】
ワイヤバレル２８は、図１及び図２に示すように、断面が略Ｕ字形状をなして上方に開口して形成されている。
ワイヤバレル２８は、図５に示すように、電線Ｗの端末を皮剥することで露出された芯線Ｗ１を底壁２４に載置した状態で、芯線Ｗ１にかしめ圧着され、芯線Ｗ１と導通可能に接続されるようになっている。
また、ワイヤバレル２８は、図２及び図５に示すように、接続筒部２１に比べて約半分の幅寸法に設定されている。このため、ワイヤバレル２８の幅寸法と接続筒部２１との幅寸法との差は大きくなっており、その間に位置する連結部２３は、接続筒部２１からワイヤバレル２８に向かって急激に幅狭となるくびれた形状となっている。
【００２１】
インシュレーションバレル２９は、図１及び図２に示すように、断面が略Ｕ字形状をなして上方に開口して形成されている。インシュレーションバレル２９は、図５に示すように、電線Ｗにおける絶縁被覆Ｗ２の端末に装着されたゴム栓Ｒと共にかしめ圧着されることで電線Ｗに固定されるようになっている。
【００２２】
さて、連結部２３の両連結部側壁２３Ａには、屈曲規制部３０がそれぞれ連設されている。また、金属板材を打ち抜き形成して曲げ加工する前の状態において、連結部２３には、図４に示すように、両屈曲規制部３０と接続筒部２１の突出片２５（曲げ加工後の両接続部側壁２１Ａ）との間に、余肉抑制空隙３１が形成されている。
【００２３】
両屈曲規制部３０は、図１及び図２に示すように、両連結部側壁２３Ａの上縁における前後方向略中央部よりも前側の位置から更に上方に向かって延びた形態をなし、接続筒部２１の接続部側壁２１Ａから僅かに後方に離れた位置に形成されている。
【００２４】
両屈曲規制部３０の先端部は、図３に示すように、互いに対向するように幅方向内側に向かって僅かに屈曲して形成されている。これにより、屈曲規制部３０の先端部が接続部側壁２１Ａの位置よりも幅方向内側に配された形態となっている。
【００２５】
両屈曲規制部３０の高さ寸法は、接続部側壁２１Ａにおける後端面２１Ｂの高さ寸法の約半分に設定されており、屈曲規制部３０の先端部は、接続筒部２１の天井壁２１Ｃよりも下方（接続筒部２１の内側）に配された形態となっている。
【００２６】
余肉抑制空隙３１は、図４に示すように、曲げ加工する前の状態において、接続筒部２１の突出片２５（曲げ加工後の接続部側壁２１Ａ）と屈曲規制部３０との境界部分が、幅方向両側から底壁２４に向かって真っ直ぐに切り欠かれることで形成されている。余肉抑制空隙３１の幅方向の切り欠き寸法は、屈曲規制部３０における前端縁の長さ寸法と同じ長さに設定されている。すなわち、余肉抑制空隙３１は、連結部側板２１Ａに屈曲規制部３０を形成することにより、突出片２５の後端縁（曲げ加工後の接続部側壁２１Ａの後端縁）と、屈曲規制部３０の前端縁と、これらの奥端同士を前後方向に連結した部分とに囲まれた隙間とされている。
【００２７】
本実施形態の雌型端子２０は上記のような構造であって、次に雌型端子２０の曲げ加工について簡単に説明すると共に、曲げ加工の際の作用及び効果について説明する。
まず、図４に示すように、金属板材を打ち抜きすることで形成された展開状態の雌型端子２０を用意する。
【００２８】
次に、接続筒部２１の弾性接触片２７などの所定の曲げ加工を行った後、接続筒部２１の突出片２５を底壁２４の幅方向両側縁から上方に向かって立ち上げると共に、連結部側壁２３Ａと、ワイヤバレル２８と、インシュレーションバレル２９とをあわせて上方に曲げ加工することで、連結部３が接続筒部１からバレル部２に向かってくびれた形状に加工される。
【００２９】
この時、従来型の端子金具１０では、連結部３がくびれた形状に加工されると、図７に示すように、連結部３には、連結部３が僅かに外側に張り出した余肉４が形成されてしまう。
【００３０】
ところが、本実施形態によると、図４に示すように、曲げ加工する前の展開状態において、接続筒部２１の突出片２５（曲げ加工後の接続部側壁２１Ａ）と連結部２３の屈曲規制部３０との境界部分には、余肉抑制空隙３１が形成されているので、曲げ加工後の状態において、連結部２３に余肉が発生することを抑制することができる。これにより、余肉が発生した部分を起点に連結部２３が屈曲し易くなることを抑制することができる。
また、余肉抑制空隙３１は、曲げ加工する前の状態において、連結部２３の前側（接続筒部２３側）である最も幅広となる位置に形成されていることから、曲げ加工した際に、余肉が発生することを効率よく抑制することができる。
【００３１】
最後に、接続筒部２１における両突出片２５の先端部をオーバーラップさせて、接続筒部２１の天井壁２１Ｃを形成することで、接続筒部２１を角筒状に形成し、雌型端子１０を完成させる。
以上のように、本実施形態によると、連結部２３に余肉抑制空隙３１を形成することで、連結部２３が屈曲し易くなることを抑制することができる。
【００３２】
次に、本実施形態の雌型端子２０に電線が接続された状態で電線が上方に引っ張られた場合の作用及び効果について説明する。
本実施形態の雌型端子２０は、余肉抑制空隙３１を形成することで、連結部２３に余肉が発生することを抑制し、連結部２３が屈曲し易くなることを抑制することができるようになっているが、電線Ｗが上方に強く引っ張られた場合には、連結部２３における余肉抑制空隙３１が形成された下方において、連結部２３が屈曲する虞がある。
【００３３】
ところが、本実施形態によると、図６に示すように、バレル部２２が上方に向かって僅かに持ち上がったところで、屈曲規制部３０の前端部が接続筒部２１における接続部側壁２１Ａの後端部（接続筒部２１における幅方向両端部）２１Ｂに当接する。これにより、電線Ｗが上方に強く引っ張られた場合においても、連結部２３が上方に屈曲してしまうことを規制することができる。
【００３４】
また、本実施形態によると、接続筒部２１の幅方向両端部における後方（バレル側）に屈曲規制部３０をそれぞれ設けたことで、電線Ｗが上方に引っ張られて連結部２３が屈曲しようとする際に、幅方向両側の二箇所において屈曲規制部３０を接続筒部２１に当接させることができる。これにより、連結部２３が屈曲することを幅方向両側においてバランスよく規制することができる。
また、図４に示すように、屈曲規制部３０を連結部２３の連結部側壁２３Ａの後方に離して形成することで、連結部２３の連結部側壁２３Ａと屈曲規制部３０との間に形成された隙間を余肉抑制空隙３１とすることができる。これにより、屈曲規制部３０を形成することで、連結部２３に余肉抑制空隙３１を形成することができる。
【００３５】
また、屈曲規制部３０の先端部が接続筒部２１の天井壁２１Ｃの高さ位置よりも底壁２４側である下方に位置しているので、雌型端子２０を図示しない合成樹脂製のコネクタハウジング内に挿入する場合に、屈曲規制部３０の先端部がコネクタハウジングの内面に接触して、コネクタハウジングを傷つけてしまうことを防ぐことができる。
【００３６】
更に、両屈曲規制部３０の先端部を互いに対向するように幅方向に屈曲させることで、屈曲規制部３０の前後方向に対する強度を向上させ、屈曲規制部３０が前後方向に座屈変形することを抑制することができる。
【００３７】
＜他の実施形態＞
本発明は上記記述及び図面によって説明した実施形態に限定されるものではなく、例えば次のような実施形態も本発明の技術的範囲に含まれる。
（１）上記実施形態では、雌型端子２０に適用させた構成としたが、本発明はこのような態様に限定されるものではなく、例えば、雄型端子に適用してもよい。
（２）上記実施形態では、接続筒部２１を角筒状に構成したが、本発明はこのような態様に限定されるものではなく、例えば、接続筒部を円筒状に構成してもよい。
【００３８】
（３）上記実施形態では、屈曲規制部３０の先端部を屈曲させた構成としたが、本発明はこのような態様に限定されるものではなく、例えば、屈曲規制部の上下方向略中央部を屈曲規制部の板厚方向に屈曲させることで、屈曲規制部の前後方向に対する強度を向上させる構成としてもよい。
（４）上記実施形態では、両屈曲規制部３０の先端部が接続部側壁２１よりも幅方向内側に配された構成としたが、本発明はこのような態様に限定されるものではなく、例えば、屈曲規制部の先端部が接続部側壁２１Ａを幅方向（接続部側壁２１Ａの板厚方向）に交差するように形成し、屈曲規制部が接続部側壁２１に対して当接し易い構成としてもよい。
【００３９】
（５）上記実施形態では、余肉抑制空隙３１を底壁２４に向かって幅方向に真っ直ぐ切り欠いた構成としたが、本発明はこのような態様に限定されるものではなく、例えば、余肉抑制空隙を底壁２４に向かって先細りとなる三角状に切り欠いて形成してもよい。
（６）上記実施形態では、余肉抑制空隙３１が曲げ加工後の状態においても、接続部側壁２１Ａと屈曲規制部３０との間に隙間として残る構成としたが、本発明はこのような態様に限定されるものではなく、例えば、曲げ加工後の状態において、接続部側壁２１Ａの後端面２１Ｂに屈曲規制部３０が沿うように配され、接続部側壁２１Ａと屈曲規制部３０との間に隙間が殆ど形成されない構成としてもよい。
【符号の説明】
【００４０】
２０：雌型端子（端子金具）
２１：接続筒部（接続部）
２１Ｃ：天井壁
２２：バレル部
２３：連結部
２４：底壁
３０：屈曲規制部
３１：余肉抑制空隙
Ｗ  ：電線
【図１】
2013025987.tif 000003
【図２】
2013025987.tif 000004
【図３】
2013025987.tif 000005
【図４】
2013025987.tif 000006
【図５】
2013025987.tif 000007
【図６】
2013025987.tif 000008
【図７】
2013025987.tif 000009
【図８】
2013025987.tif 000010